(57)【要約】【課題】圧縮機室部前板の取り付け、取り外しが容易で、運転中の異常音や雨水の浸入のない空気調和機の室外ユニットを提供する。【解決手段】圧縮機を内蔵した圧縮機室を有する外箱は、天板と、底面のユニットベースと、吹き出し口部前板５と、圧縮機室の前部を覆う圧縮機室部前板８と、側面部を覆う右側板から構成され、圧縮機室部前板８の両側端部に略Ｌ字状の係止爪１０を複数設け、吹き出し口部前板５および側板９の端部に係止爪１０に係合する係合穴１１をそれぞれ複数設け、係合穴１１に周囲を勘合させて保持する弾性体１２を設け、弾性体１２に係止爪１０が貫通して係合する係止爪１０の厚さより小さな細長い貫通穴１２ａを設けたもので、圧縮機室部前板８を取り付ける際、係止爪１０が弾性体１２の弾力により保持されるため、圧縮機室部前板８は下方へずれることがなく一人で確実に、しかも容易に取り付け、取り外し作業ができる。【選択図】図２
2007247984.tif 000002
【特許請求の範囲】
【請求項１】
圧縮機を内蔵した圧縮機室と送風機とを有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設けるとともに前記吹き出し口部前板および前記側板の端部に前記係止爪に係合する係合穴をそれぞれ複数設け、前記係合穴に周囲を勘合させて保持する弾性体を設け、前記弾性体に前記圧縮機室部前板の係止爪を挿入して前記吹き出し口部前板と前記側板との最終取り付け位置にスライドさせた時に前記係止爪が貫通して係合する係止爪の厚さより小さな幅の貫通穴を形成したことを特徴とする空気調和機の室外ユニット。
【請求項２】
貫通穴の形状をスリット状に形成したことを特徴とする請求項１記載の空気調和機の室外ユニット。
【請求項３】
係止爪を挿入する貫通穴の挿入口を手前に向かって広がるように傾斜させたことを特徴とする請求項１又は２に記載の空気調和機の室外ユニット。
【請求項４】
貫通穴を係止爪の挿入角度に対して傾斜させたことを特徴とする請求項２記載の空気調和機の室外ユニット。
【請求項５】
貫通穴の形状をＩ字状に形成したことを特徴とする請求項２〜４のうちいづれか一項に記載の空気調和機の室外ユニット。
【発明の詳細な説明】
【技術分野】
【０００１】
本発明は空気調和機の室外ユニットに関するもので、特に室外ユニットの外郭を形成する外箱構成に関するものである。
【背景技術】
【０００２】
大能力タイプのルームエアコンの室外ユニットやパッケージエアコンの室外ユニットでは、室外ユニットの横連続設置に対応できるように、送風機の吹き出し口面側から作業ができるように、圧縮機室と圧縮機室の上部に設けられる制御基板を収納する電装部品室とを覆う圧縮機室部前板が設けられている。配管接続部も圧縮機室部に収納されているので、設置時の配管接続作業、冷媒追加充填作業また設置状態に応じて室外ユニット制御基板に設けられた種々の設定スイッチの操作を行うには、圧縮機室部前板を外して作業を行うようになっており、そのため圧縮機室部前板は、数本のネジを緩めることで簡単に取り外せる構成となっている（例えば、特許文献１参照）。また、係合が容易な構成として、引掛け爪と引掛け穴の構成がある（例えば、特許文献２参照）。
【０００３】
以下に、従来の空気調和機の室外ユニットの外箱の構成を、図９、図１０を用いて説明する。図９において、室外ユニット９０の外箱９０ａは、周囲を上方に向かって折り曲げたユニットベース１００、天面部を覆う天板１０１、前面部を覆い送風機（図示せず）の吹き出し口１０２ａを設けた吹き出し口部前板１０２、圧縮機１０６を内蔵する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。圧縮機室部前板１０３は、前面側１０３ａと右側面側１０３ｂとで形成され、さらに圧縮機室部前板１０３の上端及び下端はそれぞれネジ１０３ｄで天板１０１とユニットベース１００に締結されている。
【０００４】
図１０は、図９における圧縮機室部前板１０３の右側面側１０３ｂのＤ部と側板１０５ｂのＥ部を拡大した詳細図であり、（ａ）は要部水平断面図、（ｂ）は要部正面図である。図１０に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。
【０００５】
室外ユニット９０を横方向に連続設置する場合に、圧縮機室部前板１０３が室外ユニット９０の手前方向に外せるようするために係止爪１１０は両端側ともに室外ユニット９０の奥行き方向に突出して形成されており、対応する係合穴１１１は係止爪１１０に直交するように開口している。
【０００６】
以上の構成により、圧縮機室部前板１０３は、圧縮機室部前板１０３の右側面側１０３ｂ、左側端部１０３ｃに設けられた複数個の係止爪１１０が係合穴１１１に水平方向に挿入された後、上方にスライドされ、さらに上端、下端をそれぞれ１本のネジ１０３ｄで締結することによって吹き出し口部前板１０２、側板１０５ａ、１０５ｂに固着できるため、多くのネジを使用する必要がなく、組立時の作業工数を低減できると共にネジ本数が少ないので見栄えもよい。
【０００７】
図１１は、他の従来の空気調和機の室外ユニットを示すもので、図９に示された室外ユニットとほぼ同様な外箱構成となっているが、圧縮機室部前板の部分と右側の側板部分とが一体に形成され、しかも右側の側板は１枚で形成され合わせ目が省略されているところ
が異なる（例えば、特許文献３参照）。
【特許文献１】特開平６−１２３４４６号公報
【特許文献２】実開平５−６９５３５号公報
【特許文献３】特開平９−１９３９８９号公報
【発明の開示】
【発明が解決しようとする課題】
【０００８】
しかしながら上記従来の空気調和機の室外ユニットの外箱構成では、製造現場における圧縮機室部前板１０３の組立作業時や、設置時に圧縮機室部前板１０３を開けての作業、例えば室外ユニット９０と室内ユニット（図示せず）をつなぐ際の冷媒配管接続、冷媒の追加充填や電線接続などの圧縮機室部前板１０３を取り外したり、再度室外ユニット９０に取り付けたりする際に以下のような課題があった。
【０００９】
圧縮機室部前板１０３を室外ユニット９０に取り付ける際は、側板１０５ａ、１０５ｂ及び吹き出し口部前板１０２に設けた複数の係合穴１１１に圧縮機室部前板１０３の右側面側１０３ｂ及び左側端部１０３ｃに設けた複数の係止爪１１０を挿入した後、圧縮機室部前板１０３を上方にスライドさせ上端、下端をネジ１０３ｄで締結するが、圧縮機室部前板１０３は金属製でしかも大きな表面積を持ち、そのため重量も重くなることから自重により下方へ下がろうとする力が働くため、ネジ穴がずれてしまう。
【００１０】
また、圧縮機室部前板１０３を取り外す際は、締結されたネジ１０３ｄを緩めて取り外すが、ネジ１０３ｄを取り外した瞬間に圧縮機室部前板１０３は自重により下方に下がり、係止爪１１０が係合穴１１１から外れ圧縮機室部前板１０３が落下してしまう。そのため、作業者はネジ穴がずれないように圧縮機室部前板１０３を押えていなければならず、取り付け、取り外し作業が非常に困難であった。
【００１１】
このため、製造現場や大規模設置工事など多人数で作業をしている場合には、一人が圧縮機室部前板１０３を押え、もう一人がネジを締結しなければならなかった。又、一人で設置作業する場合、あるいは、一人で作業を行うことが多いサービス時などでは、圧縮機室部前板１０３の再取り付けが極めて困難で、また多くの時間を費やし、さらに注意不足の場合には、係止爪１１０と係合穴１１１が外れてしまい、圧縮機室部前板１０３が室外ユニット９０より落下しキズ付きや変形の原因となっていた。
【００１２】
また、圧縮機室部前板１０３と吹き出し口部前板１０２、側板１０５は、金属製であるため運転中等の新道により係止爪１１０と係合穴１１１が互いに擦れ合うことで、異常音が発生してしまう。さらには、悪天候による風雨により、吹き出し口部前板１０２、圧縮機室部前板１０３、側板１０５の合わせ目の隙間を伝って係合穴１１１より雨水が侵入し、内臓部品への悪影響の要因となっていた。
【００１３】
本発明は、上記従来の課題を解決するもので、安価な構成で、見栄えを悪くすることもなく、一人で確実に、しかも簡単に圧縮機室部前板の取り付けができる空気調和機の室外ユニットを提供することを目的とするものである。
【課題を解決するための手段】
【００１４】
上記従来の課題を解決するために、本発明の空気調和機の室外ユニットは、圧縮機を内蔵した圧縮機室と送風機とを有する外箱を備え、外箱は、天面に配された天板と、送風機の風を吹き出す吹き出し口を設けた吹き出し口部前板と、圧縮機室の前部を覆う圧縮機室部前板と、側面部を覆う側板とから構成され、圧縮機室部前板の両側端部に略Ｌ字状の係止爪を複数設けるとともに、吹き出し口部前板および側板の端部に係止爪に係合する係合穴をそれぞれ複数設け、係合穴に周囲を勘合させて保持する弾性体を設け、弾性体に圧縮
機室部前板の係止爪を挿入して吹き出し口部前板と側板との最終取り付け位置にスライドさせた時に係止爪が貫通して係合する係止爪の厚さより小さな幅の貫通穴を形成したもので、圧縮機室部前板を吹出し口部前板及び側板に取り付ける際、圧縮機室部前板の両側端部に設けた係止爪を吹出し口部前板及び側板の端部の係合穴に設けた弾性体の貫通穴に挿入し、圧縮機室部前板を上方の最終取り付け位置までスライドさせることで、係止爪が弾性体の弾力により保持されるとともに、圧縮機室部前板を取り外す際も、ネジを取り外した状態でも圧縮機室部前板は下方へずれることがなく一人で確実に、しかも容易に前記圧縮機室部前板を取り付け、取り外しができる。
【発明の効果】
【００１５】
本発明の空気調和機の室外ユニットは、安価な構成で、見栄えを悪くすることもなく、一人で確実に、しかも簡単に圧縮機室部前板の取り付けができるので、作業効率が非常に良く、運転中の異常音や風雨による影響のない品質が優れたものである。
【発明を実施するための最良の形態】
【００１６】
第１の発明は、圧縮機を内蔵した圧縮機室と送風機とを有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設けるとともに前記吹き出し口部前板および前記側板の端部に前記係止爪に係合する係合穴をそれぞれ複数設け、前記係合穴に周囲を勘合させて保持する弾性体を設け、前記弾性体に前記圧縮機室部前板の係止爪を挿入して前記吹き出し口部前板と前記側板との最終取り付け位置にスライドさせた時に前記係止爪が貫通して係合する係止爪の厚さより小さな幅の貫通穴を形成したもので、圧縮機室部前板を吹出し口部前板及び側板に取り付ける際、圧縮機室部前板の両側端部に設けた係止爪を吹出し口部前板及び側板の端部の係合穴に設けた弾性体の貫通穴に挿入し、圧縮機室部前板を上方の最終取り付け位置までスライドさせることで、係止爪が弾性体の弾力により保持され、圧縮機室部前板を取り外す際も、ネジを取り外した状態でも圧縮機室部前板は下方へずれることがなく一人で確実に、しかも容易に前記圧縮機室部前板を取り付け、取り外しができるとともに、弾性体により係止爪と係合穴が直接干渉することがないので異常音が発生することはなく、さらには弾性体により係止爪と係合穴の隙間がシールされることで雨水の侵入がなく、内臓部品への悪影響もなくなるものである。
【００１７】
第２の発明は、特に第１の発明の貫通穴の形状をスリット状に形成しているので、係止爪を挿入した後に圧縮機室部前板を所定の位置にスライドさせた状態でも、貫通穴の係止爪挿入部は開口していないため、シール性が向上する。
【００１８】
第３の発明は、特に第２の発明の貫通穴の係止爪を挿入する挿入口を手前に向かって広がるように傾斜させているので、係止爪を挿入する際の位置決めが可能となるとともに、係止爪の挿入位置がずれた場合でも、傾斜により係止爪が弾性体を押し付ける力が分散され弾性体を傷付けることがない。
【００１９】
第４の発明は、特に第１の発明の貫通穴を係止爪の挿入角度に対して係止爪の所定の位置から対称に傾斜させているので、係止爪を貫通穴に挿入した際、係止爪の位置が左右方向にずれた場合でも貫通穴の両側端部と係止爪の両側部との間に隙間が発生することなく確実に密着しているのでシール性が向上する。
【００２０】
第５の発明は、特に第２又は第３又は第４の発明の貫通穴の形状をＩ字状に形成しているので、圧縮機室部前板取り付け時に係止爪を貫通穴に挿入する際、係止爪の位置が所定の位置より左右にずれた場合でも弾性体の弾力により、弾性体は係止爪の挿入方向にスムーズに押し込まれ、弾性体が係合穴より外れ落ちたり破壊されたりすることはない。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における空気調和機の室外ユニットの外箱構成を示す分解斜視図で、図２は、同室外ユニットの圧縮機室部前板の取り付け部の要部斜視図で、図３は同取り付け部の要部断面図ある。
【００２３】
図１、図２、図３において、室外ユニット１の外箱１ａは、底部を形成するユニットベース２、天面部を覆う天板３、前面部を覆うとともに内蔵された送風機（図示せず）による風を吹き出す吹き出し口４を有する吹き出し口部前板５、圧縮機（図示せず）を内蔵する圧縮機室６や制御基板（図示せず）を収納する電装部品室７を覆う圧縮機室部前板８、右側面を覆う側板となる右側板９とから構成されている。圧縮機室部前板８は、前面に位置する前面部８ａと右側部８ｂとで断面略Ｌ字状に形成され、左端部８ｃと右側部８ｂの端部のそれぞれに、後方に突出した略Ｌ字状の係止爪１０が複数個設けられ、吹き出し口部前板５および右側板９のそれぞれの鉛直端部の係止爪１０に対応する位置に角形状の係合穴１１が設けられている。
【００２４】
係合穴１１には、全周を勘合させて保持する弾性体１２が配置され、弾性体１２には、係止爪１０と相対する位置に幅が係止爪１０の厚さ寸法より小さく開口する細長い貫通穴１２ａが形成されている。
【００２５】
圧縮機室部前板８の室外ユニット１への取り付けは、圧縮機室部前板８の係止爪１０を吹き出し口部前板５と右側板９の係合穴１１に配置した弾性体１２の貫通穴１２ａに挿入する。その後圧縮機室部前板８を上方にスライドさせることにより、係止爪１０が弾性体１２の弾力により保持されることから、圧縮機室部前板８が下方にずれないように押えておく必要がなく、ネジ１３で圧縮機室部前板８の上端、下端を天板３、ユニットベース２にそれぞれネジ止めすることで圧縮機室部前板８の取り付けは完了する。同様に圧縮機室部前板８を取り外す際も、ネジ１３を取り外した状態でも圧縮機室部前板８は下方へずれることはない。また、弾性体１２により係止爪１０と係合穴１１が直接干渉することがないので異常音が発生することはなく、さらには弾性体１２により係止爪１０と係合穴１１の隙間がシールされることで雨水の浸入がなく、内臓部品への悪影響もなくなるものである。
【００２６】
以上のように、本実施の形態によれば、一人でも簡単に、しかも確実に圧縮機室部前板８の取り付け、取り外しができるとともに、運転中の異常音や風雨による悪影響のないものである。
【００２７】
（実施の形態２）
図４は、本発明の第２の実施の形態における空気調和機の室外ユニットの要部斜視図である。なお、上記実施の形態と同一部分については同一符号を付してその説明を省略する。
【００２８】
本実施の形態は、貫通穴１２ａをスリット状に形成しているので、係止爪１０を挿入した後に圧縮機室部前板８を所定の位置にスライドさせた状態でも、貫通穴１２ａの係止爪１０挿入部は開口していないため、シール性が向上する。
【００２９】
（実施の形態３）
図５は、本発明の第３の実施の形態における空気調和機の室外ユニットの要部断面図で
ある。なお、上記実施の形態と同一部分については同一符号を付してその説明を省略する。
【００３０】
本実施の形態は、貫通穴１２ａの係止爪１０を挿入する挿入口１２ｂを手前に向かって広がるように傾斜させているので、係止爪１０を挿入する際の位置決めが可能となるとともに、係止爪１０の挿入位置がずれた場合でも、挿入口１２ｂの傾斜により係止爪１０が弾性体１２を押し付ける力が分散され弾性体１２を傷付けることがない。
【００３１】
（実施の形態４）
図６は、本発明の第４の実施の形態における空気調和機の室外ユニットの要部断面図である。なお、上記実施の形態と同一部分については同一符号を付してその説明を省略する。
【００３２】
本実施の形態は、貫通穴１２ａを係止爪１０の挿入角度に対して係止爪１０の所定の位置から対称に傾斜させているので、係止爪１０を貫通穴１２ａに挿入した際、係止爪１０の位置が左右方向にずれた場合でも貫通穴１２ａの両側端部１２ｃと係止爪１０の両側部１０ａとの間に隙間が発生することなく確実に密着しているのでシール性が向上する。
【００３３】
（実施の形態５）
図７は、本発明の第５の実施の形態における空気調和機の室外ユニットの要部斜視図で、図８は、同取り付け部の要部断面図である。なお、上記実施の形態と同一部分については同一符号を付してその説明を省略する。
【００３４】
本実施の形態は、貫通穴１２ａの形状をＩ字状に形成しているので、係止爪１０を貫通穴１２ａに挿入する際、係止爪１０の位置が所定の位置より左右にずれた場合でも弾性体１２の弾力により、弾性体１２は係止爪１０の挿入方向にスムーズに押し込まれ、弾性体１２が係合穴１１より外れ落ちたり破壊されたりすることはない。
【産業上の利用可能性】
【００３５】
以上のように、本発明に係る空気調和機の室外ユニットは、安価な構成で、見栄えを悪くすることもなく、一人で確実に、しかも簡単に圧縮機室部前板の取り付け、取り外しができるとともに、運転中の異常音や雨水が浸入する恐れがないので、作業効率、品質が非常に良く、設置時、サービス時に着脱を要する板金製の扉、蓋などを有する各種機器、装置にも適用できるものである。
【図面の簡単な説明】
【００３６】
【図１】本発明の実施の形態１における空気調和機の室外ユニットの展開斜視図
【図２】同室外ユニットの要部斜視図
【図３】同室外ユニットの要部断面図
【図４】本発明の実施の形態２における空気調和機の室外ユニットの要部斜視図
【図５】本発明の実施の形態３における空気調和機の室外ユニットの要部断面図
【図６】本発明の実施の形態４における空気調和機の室外ユニットの要部断面図
【図７】本発明の実施の形態５における空気調和機の室外ユニットの要部斜視図
【図８】同室外ユニットの要部断面図
【図９】従来の空気調和機の室外ユニットの展開斜視図
【図１０】（ａ）図８のＤ，Ｅ部の横断面図、（ｂ）同Ｄ，Ｅ部の正面図
【図１１】従来の他の例を示す空気調和機の室外ユニットの斜視図
【符号の説明】
【００３７】
１  室外ユニット
１ａ  外箱
２  ユニットベース
３  天板
４  吹き出し口
５  吹き出し口部前板
６  圧縮機室
８  圧縮機室部前板
９  側板
１０  係止爪
１１  係合穴
１２  弾性体
１２ａ  貫通穴
【図１】
2007247984.tif 000003
【図２】
2007247984.tif 000004
【図３】
2007247984.tif 000005
【図４】
2007247984.tif 000006
【図５】
2007247984.tif 000007
【図６】
2007247984.tif 000008
【図７】
2007247984.tif 000009
【図８】
2007247984.tif 000010
【図９】
2007247984.tif 000011
【図１０】
2007247984.tif 000012
【図１１】
2007247984.tif 000013